(57)【要約】【課題】テープストレージにおいて、テープドラムへの電源の発熱による熱影響を低減し、また小型化を図る。【解決手段】真空断熱材８を、発熱体である電源３とテープドラム４との空間を仕切るように配置することにより、電源３の熱がテープドラム４へ影響するのを軽減することができる。特に、これらの間にプリント基板２を有するときには電源３とプリント基板２の間、及びプリント基板２とテープドラム４の間に真空断熱材８を配設することにより、より効果的な熱影響の防止を図ることができる。これにより、テープドラム４の熱による劣化を軽減することができ、信頼性が向上する。また、真空断熱材８は断熱性能が高いため薄くてわずかなスペースがあれば断熱することができ、テープストレージの小型化が可能である。【選択図】図１
2005182857.tif 000002
【特許請求の範囲】
【請求項１】
プリント基板と、電源と、テープドラムとを箱体内部に備え、前記テープドラムを前記プリント基板と電源とによる高温から保護するための真空断熱材を有するテープストレージ。
【請求項２】
テープドラムと電源との空間を仕切るように真空断熱材を配置した請求項１記載のテープストレージ。
【請求項３】
電源とテープストレージの箱体との間に真空断熱材を配置した請求項１または請求項２記載のテープストレージ。
【請求項４】
電源とプリント基板との間を仕切るように真空断熱材を配置した請求項１から請求項３のうちいずれか一項記載のテープストレージ。
【請求項５】
電源を冷却するためファンを有し、ファンの送風のための風路の一部を真空断熱材で形成した請求項１から請求項４のうちいずれか一項記載のテープストレージ。
【請求項６】
真空断熱材の芯材が少なくともシリカを主成分とする請求項１から請求項５のうちいずれか一項記載のテープストレージ。
【発明の詳細な説明】
【技術分野】
【０００１】
本発明は、電源などの熱源より発生した熱からテープドラムやプリント基板を保護する真空断熱材を有するテープストレージに関するものである。
【背景技術】
【０００２】
近年、電子データのバックアップにおいてはＣＤやＤＶＤ等の光記録メディアが躍進しているものの、従来からある磁気テープは、より大容量のデータをバックアップするのに向いており、その記録スピードや取り扱いの面で優れている。その磁気テープを用いた記録装置をテープストレージと称している。
【０００３】
テープストレージは、狭い箱体に電源をはじめ、テープに記録したり読取ったりするためのテープドラム、プリント基板など多くの部品が詰め込まれており、電源等の電気部品の発熱体から放出される熱が、熱に弱い部品悪影響を与えないように対策がとられている。特に磁気テープや、テープドラムが熱に弱い。
【０００４】
そこで、テープドラムへの電源からの熱を低減するために空間を設けたり、プラスチック板を挟んだり、ファンにより送風したりするなどして熱を軽減する方法がある（特許文献１参照）。
【０００５】
以下、図面を参照しながら上記従来のテープストレージを説明する。
【０００６】
図３は、従来のテープストレージの断面図である。図３において、テープストレージ１はプリント基板２と、電源３と、テープドラム４と、プラスチック板５と、ファン６とを箱体７の内部に備えている。
【０００７】
以上のように構成されたテープストレージ１について、以下その動作を説明する。
【０００８】
テープストレージ１を稼動させることにより電源３に熱が生じる。しかし、電源３とテープドラム４との間に設けた空間とプラスチック板５とにより、電源３からテープドラム４への熱の影響を低減できる。また、ファン６を回すことにより外部に電源３の熱を排出できるので、テープドラム４への熱の影響を低減できる。
【特許文献１】特開２００２−２３０８７０号公報
【発明の開示】
【発明が解決しようとする課題】
【０００９】
しかしながら、上記の構成では電源とテープドラムの間に空間を設けた上、プラスチックなどの板で遮っているので、熱影響の低減のためにスペースを大きくとる必要があり、本体を小型化することが難しい問題があった。
【００１０】
本発明は従来の課題を解決するもので、テープドラムと電源との間に断熱性の高い真空断熱材を配置することにより、小スペースでテープドラムへの電源の熱の影響を大きく低減し、テープドラムの信頼性を向上したテープストレージを提供することを目的とする。
【課題を解決するための手段】
【００１１】
前記従来の課題を解決するために、本発明のテープストレージは、プリント基板と、電源と、テープドラムとを箱体内部に備え、前記テープドラムを前記プリント基板と電源とによる高温から保護するための真空断熱材を配設したものである。
【００１２】
これによって、発熱体である電源等からのテープドラムへの熱影響を大きく低減でき、熱による劣化を抑えられ、テープドラムの信頼性が向上する。また、真空断熱材は薄くても断熱性能が高いので、わずかなスペースがあれば断熱することができ、テープストレージを小型化することができる。
【発明の効果】
【００１３】
本発明のテープストレージは、断熱性能が高い真空断熱材をテープドラム保護のために効果的に配設することにより、小型化を図りながらテープドラムの信頼性を向上することができる。
【発明を実施するための最良の形態】
【００１４】
本発明の請求項１に記載の発明は、プリント基板と、電源と、テープドラムを箱体の内部に備え、前記テープドラムを高温から保護するための真空断熱材を用いたものである。電源等の発熱体の高温からテープドラムを保護するように真空断熱材を配置すれば、真空断熱材は断熱性が高いのでテープドラムへの熱の影響を大きく低減でき、熱による劣化を抑え、テープドラムの信頼性を向上することができる。また、真空断熱材は薄くても断熱能力が高くわずかなスペースがあれば断熱することができ、テープストレージを小型化することができる。
【００１５】
また、テープドラムにかかる熱負荷が減るので、ファンの能力を下げることができ、ファンの小型化や、無くすことができる。それにより、コストの低減とテープストレージ小型化ができる。
【００１６】
更に、真空断熱材は１ＭＨｚ以上の周波数の磁界に対するシールド効果を有するため、テープストレージ周囲や周辺部品から発生する磁界によって磁気テープに記録されたデータが破損することを防ぐことができる。
【００１７】
本発明の請求項２に記載の発明は、請求項１に記載の発明において、発熱体である電源と熱に弱い部品であるテープドラムとの空間を仕切るように真空断熱材を配置したものである。真空断熱材を用いて仕切ることにより、空気の対流熱と輻射熱とを防ぐことができ、テープドラムへの電源の熱の影響を効果的に低減でき、テープドラムの熱による劣化が抑えられて信頼性が向上する。また、真空断熱材は薄く、わずかなスペースしかなくとも高い断熱効果が得られ、テープストレージを小型化できる。
【００１８】
本発明の請求項３に記載の発明は、請求項１または請求項２に記載の発明において、電源と箱体との間に真空断熱材を配置したものである。真空断熱材は断熱性能が高いので、箱体と電源との間のわずかなスペースでも断熱効果が得られ、箱体の温度上昇を抑えることができる。それにより、周囲の機器への悪影響を抑えることができる。
【００１９】
本発明の請求項４に記載の発明は、請求項１から請求項３のいずれか１項に記載の発明において、電源とプリント基板との間を仕切るように真空断熱材を配置したものである。プリント基板への熱の影響を大きく低減でき、プリント基板やプリント基板に設置された部品の熱による劣化を抑えることができ、信頼性が向上する。また、プリント基板を伝わって広がる熱を低減することができ、プリント基板が二次熱源となるのを抑えることができる。
【００２０】
本発明の請求項５に記載の発明は、請求項１記載の発明において、電源を冷却するための風路の一部を真空断熱材で形成したものである。これにより、放熱したい方向以外への熱の拡散を抑えることができ、ファンの送風により局所的に排気することで、効率よく熱を放熱することができる。それにより、周りの部品が熱により劣化するのを抑えることができ、信頼性が向上する。さらにファンの能力を下げることができ、ファンを小型化することができる。それにより、コストの低減とテープストレージの小型化ができる。また、真空断熱材は薄いのでわずかなスペースがあれば断熱することができ、テープストレージを小型化することができる。
【００２１】
本発明の請求項６に記載の発明は、請求項１から請求項５のいずれか１項に記載の発明において、芯材としてシリカを主成分としたものである。シリカは耐熱性があり、特に高温使用時に優れた断熱性能と長期信頼性を有する高性能な真空断熱材を提供でき、テープストレージの信頼性を長期わたって維持することができる。
【００２２】
以下、本発明によるテープストレージの実施の形態について、図面を参照しながら説明する。なお、従来と同一構成については、同一符号を付して詳細な説明を省略する。
【００２３】
（実施の形態１）
図１は、本発明の実施の形態１によるテープストレージの斜視透視図である。図２は、図１に示す真空断熱材の断面図である。
【００２４】
図１及び図２において、テープストレージ６は、箱体７の内部のほぼ中央部にプリント基板２を配設し、後部に電源３を有する。前部に装填した磁気テープ９とプリント基板２との間にテープドラム４を有し、電源の近傍で箱体７の側面にファン６と、その対面に吸気口１０を備え、プリント基板２とテープドラム４との間に真空断熱材８ａを、プリント基板２と電源３との間に真空断熱材８ｂを、電源３と箱体７との間に真空断熱材８ｃを配設して構成される。テープドラム４は高速で回転し、カートリッジから引き出した磁気テープにデータを記録したり読み出したりする。
【００２５】
真空断熱材８ａは、テープドラム４と電源３との間の空間を仕切るように配置することで、電源３の発熱によって高温となった空気、および輻射熱を遮る。本実施の形態１では、プリント基板２の発熱の影響も防ぐことができる。
【００２６】
真空断熱材８ｂは、プリント基板２と電源３との空間を仕切るように配置することで、電源３の発熱がプリント基板２に影響しないようにし、かつ真空断熱材８ｃと箱体７とで電源２の熱を排気する風路を形成する。ファン６は吸気口１０から吸入した外気を風路を通して電源３を効率良く冷却したのち排気する。真空断熱材８ｂに隙間１０ｐを設けておくことで、プリント基板２の熱を誘引排気することができる。
【００２７】
真空断熱材８ｃは、箱体７の内側に配設することで、箱体の温度上昇を抑える。
【００２８】
真空断熱材８ａ，８ｂ，８ｃは、多孔質体である芯材１２をラミネートフィルムからなる外包材１１で覆い、内部を真空引きして封止したものである。狭い空間に配設することを考えれば、厚みは０．２ｍｍ以上４．０ｍｍ以下が好ましい。真空断熱材８が０．２ｍｍ以上４．０ｍｍ以下でも十分な断熱性能が得られ、断熱に必要なスペースが僅かで済み、テープストレージ６を小型化、もしくは仕様を変えずに適用することができる。
【００２９】
また、芯材１０はシリカを主成分とするものが耐熱性に優れて好ましい。特に８０℃付近の高温での優れた断熱性能と長期信頼性を有する高性能な真空断熱材となる。これにカーボンブラックを適量加えることにより、特に高温での断熱性能が一段と優れる真空断熱材を提供できる。これは、シリカ粉体の凝集粒子が解砕されて微細化するとともに空隙径も小さくなり、固体熱伝導率及び気体熱伝導率ともに低下することによる。更にグラスウール等の無機繊維を適量加えれば、繊維が骨材として作用して成形に優れるものとなり、取り扱い性、粉立ちを改善できる。
【００３０】
また、芯材１０にバインダー成分を含ませてもよい。これにより、真空断熱材の折れ、曲がり、粉立ちを抑制又は防止でき、更に取り扱い性が向上する。
【００３１】
なお、本実施例ではテープストレージについて述べたが、
【産業上の利用可能性】
【００３２】
以上のように、本発明にかかるテープストレージは、真空断熱材の使用により、熱に弱いテープドラムという磁気記録装置、及び磁気テープという記録媒体を電源等の発熱体による熱影響から保護しつつ小型化を可能とするものであり、同様に磁気記録を行うハードディスク（ＨＤＤ）や光記録ストレージについても、テープドラム４が磁気や光学ヘッドに置き換わり、また、テープがディスクに置き換わるだけであり、真空断熱材８を用いることによる同様の効果が得られる。
【図面の簡単な説明】
【００３３】
【図１】本発明の実施の形態１によるテープストレージの斜視透視図
【図２】本発明の実施の形態１による真空断熱材の断面図
【図３】従来のテープストレージの斜視図
【符号の説明】
【００３４】
１    テープストレージ
２    プリント基板
３    電源
４    テープドラム
６    ファン
７    箱体
８ａ，８ｂ，８ｃ    真空断熱材
【図１】
2005182857.tif 000003
【図２】
2005182857.tif 000004
【図３】
2005182857.tif 000005